(57)【要約】      （修正有）【課題】多くの異なるネットワークリンク及びシグナリングプロトコルのための特別なトラブルシューティング能力の提供。【解決手段】  移動通信ネットワークのオペレーションを監視するための方法であって、該移動通信ネットワークは、エンドユーザ間の通信データを伝達するための多数の異なるタイプの通信リンクを含み、異なる各タイプの通信リンクは、個々の各シグナリング情報プロトコルを有し、該方法は、前記通信システムを通じて通信データのルーティングを行っている間、各通信リンクからのシグナリング情報をデータベースに記録するステップと、エンドユーザ間の前記通信リンク、並びに、呼のタイプ毎の、成功した呼及び不成功の呼のカウントを包含するエンドツーエンド呼統計値を含むデータベースリポートを前記記録されたシグナリング情報から生成するステップと、を含む。【選択図】図４
2007068159.tif 000002
【特許請求の範囲】
【請求項１】
移動通信ネットワークのオペレーションを監視するための方法であって、該移動通信ネットワークは、エンドユーザ間の通信データを伝達するための多数の異なるタイプの通信リンクを含み、それぞれ異なるタイプの通信リンクは、それぞれ別のシグナリング情報プロトコルを有し、該方法は、
前記通信システムを通じて通信データのルーティングを行っている間、各通信リンクからのシグナリング情報をデータベースに記録するステップと、
エンドユーザ間の前記通信リンク、並びに、呼のタイプ毎の、成功した呼及び不成功の呼のカウントを包含するエンドツーエンド呼統計値を含むデータベースリポートを前記記録されたシグナリング情報から生成するステップと、
を含む、移動通信ネットワークのオペレーションを監視するための方法。
【請求項２】
前記記録するステップは、前記シグナリング情報を、回線交換プロトコル及び無線通信リンクプロトコルについて個別のリレーショナルデータベースにグループ化するステップを含む、請求項１に記載の移動通信ネットワークのオペレーションを監視するための方法。
【請求項３】
前記データベースリポートを生成するステップは、作成された通信リンクのアタッチメント及びディタッチメントのカウントを生成するステップを含む、請求項１に記載の移動通信ネットワークのオペレーションを監視するための方法。
【請求項４】
前記データベースリポートを生成するステップは、返答のないページング要求のカウントを生成するステップを含む、請求項１に記載の移動通信ネットワークのオペレーションを監視するための方法。
【請求項５】
前記データベースリポートを生成するステップは、前記記録されたシグナリング情報からシステムの主要性能指標を計算するステップを含む、請求項１に記載の移動通信ネットワークのオペレーションを監視するための方法。
【請求項６】
前記データベースリポートを生成するステップは、前記記録されたシグナリング情報から不成功の呼の失敗の根本的原因を特定するステップを含む、請求項１に記載の移動通信ネットワークのオペレーションを監視するための方法。
【請求項７】
前記データベースリポートを生成するステップは、前記特定された失敗の根本的原因から統計値を計算するステップを含む、請求項６に記載の移動通信ネットワークのオペレーションを監視するための方法。
【請求項８】
前記データベースリポートを生成するステップは、通信システムの故障理由及び非通信システムの故障理由を有する、失敗した呼をカウントすることを含む、請求項７に記載の移動通信ネットワークのオペレーションを監視するための方法。
【請求項９】
前記特定された失敗の根本的原因から統計値を計算するステップは、回線交換音声呼、回線交換データ呼、パケット交換呼、ショートメッセージサービス呼、及びマルチメディアメッセージサービス呼を含む可能性のある呼のタイプを分類する、請求項７に記載の移動通信ネットワークのオペレーションを監視するための方法。
【請求項１０】
エンドユーザ間における、データ及び対応するシグナリング情報を含む通信のルーティングを監視するように適合された通信システムであって、
異なるタイプのノード間で相互接続された多数の異なるタイプの通信リンクを有する移動通信ネットワークであって、それぞれの異なるタイプの通信リンクは、前記ノード間で前記通信データを伝達するためのそれぞれ別のシグナリングプロトコルを有する、移動通信ネットワークと、
前記通信システムを通じて前記通信のルーティングを行っている間、各通信リンクからのシグナリング情報を記録するように適合されたデータベースと、
前記記録されたシグナリング情報から生成されたデータベースリポートであって、エンドユーザ間のすべての通信リンクを包含し、且つ、呼のタイプ毎の、成功した呼及び不成功の呼のカウントを含むエンドツーエンド呼統計値を提供するように適合された、データベースリポートと、
を備える、通信システム。
【請求項１１】
前記データベースリポートは、作成された通信リンクのアタッチメント及びディタッチメントのカウントを含む、請求項１０に記載の通信システム。
【請求項１２】
前記データベースリポートは、返答のないページング要求のカウントを含む、請求項１０に記載の通信システム。
【請求項１３】
前記データベースリポートは、試みられた呼のカウントを含む、請求項１０に記載の通信システム。
【請求項１４】
前記データベースリポートは、前記記録されたシグナリング情報からシステム性能を計算するように適合される、請求項１０に記載の通信システム。
【請求項１５】
前記データベースリポートは、前記記憶されたシグナリング情報から不成功の呼の失敗の根本的原因を特定するように適合される、請求項１０に記載の通信システム。
【請求項１６】
前記データベースリポートは、前記特定された失敗の根本的原因から統計値を計算するように適合される、請求項１５に記載の通信システム。
【請求項１７】
システム性能は、すべてのプロトコルレイヤに関して呼のタイプのそれぞれについて計算される、請求項１６に記載の通信システム。
【請求項１８】
エンドユーザ間のすべての通信リンクを包含し、且つ、すべてのシグナリングプロトコルにわたる前記失敗の根本的原因を示す、失敗根本的原因データベースリポートをさらに備える、請求項１５に記載の通信システム。
【請求項１９】
前記失敗根本的原因リポートは、回線交換音声呼、回線交換データ呼、パケット交換呼、ショートメッセージサービス呼、及びマルチメディアメッセージサービス呼を含んでもよい呼のタイプを分類する、請求項１８に記載の通信システム。
【請求項２０】
前記失敗根本的原因リポートは、ユーザがＨＬＲにおいて知られていないために失敗した呼の個数、または、無線リンクの故障のために失敗した呼の個数を示す、請求項１０に記載の通信システム。
【請求項２１】
前記失敗根本的原因リポートは、通信業界標準規格によって定義された主要性能指標を計算する、請求項１０に記載の通信システム。
【発明の詳細な説明】
【技術分野】
【０００１】
本発明は、包括的には、移動通信ネットワークのオペレーションを監視することに関し、特に、すべてのネットワークリンクからのシグナリング情報を収集して解析することに関する。
【背景技術】
【０００２】
移動通信システムの本質は、絶えず存在する競争の影響及び改良し続ける技術の下で変化している。新しいデジタルサービスは顧客の要求を駆り立て、移動サービスプロバイダは、デジタルネットワークの帯域幅容量を増加させると同時に帯域幅コストを低減させるために、より高速なデジタルネットワークに移行している。もちろん、これらの移行には、過渡的段階の期間中に、現在のサービスレベルを維持又はさらに改善する負担が加わる。
【０００３】
当初のデジタル移動ネットワークは、音声伝送に的を絞っていた。その後、テキストメッセージ及び電子メール等の低帯域幅のデジタルサービスが追加された。現在、システムは、高帯域幅のマルチメディアアプリケーション用にアップグレードされている。この移行を通じて、サービスプロバイダは、自身の顧客が予想していたのと同じサービス可用性及びサービス品質を維持する必要があり、そうしないと、市場のシェアを失う危険がある。
【０００４】
図１及び図２は、このような１つのＧＳＭ移動ネットワークが回線交換音声システムからパケット交換マルチメディアネットワークへ進化した一例である。図１は、ネットワーク１０を示している。このネットワーク１０は、パケットデータ伝送能力を付加することによって、回線交換音声ネットワークからアップグレードされたものである。当初のネットワークは、公衆交換電話網（ＰＳＴＮ）１２に接続され、基地局コントローラ（ＢＳＣ）１６及び基地伝送局（ＢＴＳ）１８を通じて無線移動デバイス２０へ通話をルーティングする複数の移動交換センター（ＭＳＣ）１４を含んでいた。ローミングユーザは、（ＨＬＲ）２２に自身の存在を記録することによってサービスを受ける。
【０００５】
汎用パケット無線サービス（ＧＰＲＳ）は、パケットデータネットワーク（ＰＤＮ）２５に直接接続された（ＧＧＳＭ）２４によって、当初のネットワークに追加されたものである。パケットデータは、サービングＧＰＲＳサポートノード（ＳＧＳＮ）２６を通じてＢＳＣ１６に接続される。この重畳したデータネットワークは、コアネットワークの帯域幅を効果的に増加させて、「常時」接続で高速データ転送を可能にする。エンドツーエンドの会話データ転送を制限する要因は、無線アクセスネットワークであった。
【０００６】
図２は、広帯域符号分割多元接続（ＷＣＤＭＡ）の形態の高速無線インターフェースを付加することによる次の移行段階を示している。この新しいインターフェースは、多数の２次伝送ノード３０（ノードＢとして知られている）を含む。これらの２次伝送ノード３０は、通常、既存のＢＴＳ１８のタワーの同じ場所に配置される。信号は、２つ以上の２次ノード３０をハンドリングできる無線ネットワークコントローラ（ＲＮＣ）３２を通じて２次ノード３０に接続される。ＢＴＳ１８における２次ノード３０のコロケーションが可能である理由は、２次ノード３０がより高い周波数帯域で動作するからである。
【０００７】
説明したネットワークで使用される異なるノード間リンク（inter nodal link）のそれぞれは、異なる機能を有し、各介在ノードによってハンドリングされる異なるシグナリングプロトコルを使用することに留意すべきである。これらの異なるプロトコルによって、ネットワークには複雑度が追加され、これによって、障害解析は非常に困難になっている。この理由から、シグナリングアナライザは、さまざまなシグナリング情報をデータベースに記録し、それによって、通信問題の原因の注意深い解析を可能にするように開発されてきた。
【発明の開示】
【発明が解決しようとする課題】
【０００８】
これらのアップグレードされた移動ネットワークは、多くの異なるネットワークリンク及びシグナリングプロトコルのための特別なトラブルシューティング能力を必要とする。
【課題を解決するための手段】
【０００９】
したがって、本発明の一実施の形態は、移動通信ネットワークのオペレーションを監視するための方法を対象とし、移動通信ネットワークは、エンドユーザ間の通信データを伝達するための多数の異なるタイプの通信リンクを含み、それぞれの異なるタイプの通信リンクは、それぞれ別のシグナリング情報プロトコルを有し、本方法は、通信システムを通じて通信データのルーティングを行っている間、各通信リンクからのシグナリング情報をデータベースに記録するステップと、エンドユーザ間の通信リンク、並びに、呼のタイプ毎の、成功した呼及び不成功の呼のカウント（count:統計）を包含するエンドツーエンド呼統計値を含むデータベースリポートを記録されたシグナリング情報から生成するステップと、を含む。
【００１０】
記録するステップは、シグナリング情報を、回線交換プロトコル及び無線通信リンクプロトコルについて個別のリレーショナルデータベースにグループ化するステップを含んでもよい。データベースリポートを生成するステップは、作成された通信リンクのアタッチメント及びディタッチメントのカウントを生成するステップを含んでもよい。データベースリポートを生成するステップは、返答のないページング要求のカウントを生成するステップを含んでもよい。データベースリポートを生成するステップは、記録されたシグナリング情報からシステムの主要性能指標を計算するステップを含んでもよい。
【００１１】
データベースリポートを生成するステップは、記録されたシグナリング情報から不成功の呼の失敗の根本的原因を特定するステップを含んでもよい。データベースリポートを生成するステップは、特定された失敗の根本的原因から統計値を計算するステップを含んでもよい。データベースリポートを生成するステップは、通信システムの故障理由及び非通信システムの故障理由を有する、失敗した呼をカウントすることを含んでもよい。特定された失敗の根本的原因から統計値を計算するステップは、回線交換音声呼、回線交換データ呼、パケット交換呼、ショートメッセージサービス呼、及びマルチメディアメッセージサービス呼を含んでもよい呼のタイプを分類してもよい。
【００１２】
本発明の別の実施の形態は、エンドユーザ間における、データ及び対応するシグナリング情報を含む通信のルーティングを監視するように適合された通信システムを対象とし、本通信システムは、異なるタイプのノード間で相互接続された多数の異なるタイプの通信リンクを有する移動通信ネットワークであって、それぞれの異なるタイプの通信リンクは、ノード間で通信データを伝達するためのそれぞれ別のシグナリングプロトコルを有する移動通信ネットワークと、通信システムを通じて通信のルーティングを行っている間、各通信リンクからのシグナリング情報を記録するように適合されたデータベースと、記録されたシグナリング情報から生成されたデータベースリポートであって、エンドユーザ間のすべての通信リンクを包含し、且つ、呼のタイプ毎の、成功した呼及び不成功の呼のカウントを含むエンドツーエンド呼統計値を提供するように適合された、データベースリポートを備える。
【００１３】
データベースリポートは、作成された通信リンクのアタッチメント及びディタッチメントのカウントを含んでもよい。データベースリポートは、返答のないページング要求のカウントを含んでもよい。データベースリポートは、試みられた呼のカウントを含んでもよい。データベースリポートは、記録されたシグナリング情報からシステム性能を計算するように適合されてもよい。
【００１４】
データベースリポートは、記憶されたシグナリング情報から不成功の呼の失敗の根本的原因を特定するように適合されてもよい。データベースリポートは、特定された失敗の根本的原因から統計値を計算するように適合されてもよい。システム性能は、すべてのプロトコルレイヤに関して呼のタイプのそれぞれについて計算されてもよい。本システムは、エンドユーザ間のすべての通信リンクを包含し、且つ、すべてのシグナリングプロトコルにわたる失敗の根本的原因を示す、失敗根本的原因データベースリポートをさらに備えてもよい。失敗根本的原因リポートは、回線交換音声呼、回線交換データ呼、パケット交換呼、ショートメッセージサービス呼、及びマルチメディアメッセージサービス呼を含んでもよい呼のタイプを分類してもよい。
【００１５】
失敗根本的原因リポートは、ユーザがＨＬＲにおいて知られていないために失敗した呼の個数、または、無線リンクの故障のために失敗した呼の個数を示してもよい。失敗根本的原因リポートは、通信業界標準規格によって定義された主要性能指標を計算するように適合されてもよい。
【００１６】
本発明は、例示として図示され、添付図面について説明される。
【発明を実施するための最良の形態】
【００１７】
図３は、個々のエンドユーザ４２とＰＳＴＮ４４との間の通信をルーティングするように接続された移動通信ネットワーク４０を示している。このネットワーク４０は、インターネットプロトコル（ＩＰ）ネットワーク４６にも接続されている。ＩＰネットワーク４６は、データベース４８にリンクされている。移動ネットワーク４０は、図１及び図２について説明した従来技術と同様の任意の適切な方法で構成される。さらに、移動ネットワーク４０は、ネットワーク４０を通じてデータをルーティングするのに使用されるシグナリング情報を収集するように適合され、且つ、そのシグナリング情報をデータベース４８に記録するためにデータベース４８に送信するように適合されている。データベース４８は、より直接的な接続５０を含めて、任意の適切な方法でネットワーク４０にそのようにリンクすることができる。この接続５０は、ＩＰネットワーク４６を迂回するものである。
【００１８】
記録されたシグナリング情報にアクセスして当該シグナリング情報を解析するために、データベース４８には、コンピュータ端末５２によりＩＰネットワーク４６を通じてアクセスする等、任意の適切な方法でアクセスすることができる。データベース４８のシグナリング情報を解析するための適切なデータベースアプリケーションは、データベース４８に存在してもよく、端末５２に存在してもよい。このようなデータベースアプリケーションは、当該技術分野において既知の任意の適切な方法で構成することができる。
【００１９】
このデータベースアプリケーションは、データベース４８に記憶されたシグナリング情報からリポート６０を生成するのに使用される。図４は、リポート６０を示している。リポート６０は、当該リポートを編集するのに使用されるシグナリング情報の日付６２、開始時刻６４、及び終了時刻６６を含む。リポート６０は、呼の数（number）７０の観点でシグナリング情報を表形式にして、総数（Total Calls）７２、ロケーション更新(Location Updates)７４、アタッチメント（Attachments：添付）７６、ディタッチメント（Detachments：分離）７８、回線交換（ＣＳ）音声呼(CS Voice Calls)８０、回線交換（ＣＳ）データ呼(CS Data Calls)８２、パケット交換（ＰＳ）呼(PS Calls)８４、ショートメッセージサービス（ＳＭＳ）呼(SMS Calls)８６、マルチメディアメッセージサービス（ＭＭＳ）呼(CCS Calls)８８、及び返答のないページング要求（Unanswered Paging Requests）９０というカテゴリー毎にそれらの呼をカウントする。カテゴリー７２〜８８のそれぞれは、成功した呼(Successful)９２と不成功の呼(Unsuccessful)９４とに分類される。この成功カウントは、エンドツーエンドの成功率及び中間のリンクのすべてに基づいている。たとえば、不成功の呼は、「ユーザの話中」のＣＣ原因や、「無線資源要求が利用可能でない」のＲＡＮＡＰ原因や、「同期喪失」のＮＢＡＰ原因等、複数の失敗理由を有する場合がある。カテゴリー７２〜８８は、さらに、異なる品質部類及びデータ速度に分類することもできる。
【００２０】
不成功の呼の上記表形式は、さらに、失敗の根本的原因の表形式として分類することもできる。各カテゴリー７２〜８８は、さまざまな失敗原因によって分割され、シグナリング情報はレビューされて、各不成功の呼の失敗の根本的原因が特定され、それに従って各根本的原因をカウントできるようにされる。
【００２１】
表形式にされたデータは、任意のさまざまな主要性能指標を計算するのに使用することができる。この主要性能指標には、電話通信のサービスアクセス性、設定時間、会話品質、及びサービス保持性（service retainability）；ショートメッセージサービスのサービスアクセス性及びサービス完全性；並びに、マルチメディアメッセージサービスのサービスアクセス性及び保持性が含まれるが、これらに限定されるものではない。
【００２２】
電話通信では、サービスアクセス性は、ネットワークアクセスが一旦利用可能になると、エンドユーザが必要な時に移動電話通信サービスにアクセスできる確率として求められる。
【００２３】
サービスアクセス性は、オプションとして、指定された許容誤差及び他の所与の動作条件のより厳しい範囲内でこのようにして求めることもできる。
【００２４】
電話通信の設定時間は、完全なアドレス情報の送信と呼設定通知の受信との間の時間として求められる。オプションとして、設定時間は、特定の許容誤差及び他の所与の動作条件の制限内で求めることもできる。
【００２５】
会話品質は、サービス完全性とも呼ばれる場合もあり、通話ごとのエンドツーエンド会話伝送品質の定量化を表す指標である。
【００２６】
サービス保持性は、通話完了率、又は、サービスが一旦得られると、そのサービスが所与の条件下で所与の時間の間提供され続ける確率として求めることもできる。
【００２７】
ショートメッセージサービス（ＳＭＳ）の場合、サービスアクセス性は、ネットワークアクセスが存在すると、エンドユーザがそのサービスにアクセスできる確率として求められる。また、サービスアクセス性は、アクセス遅延の観点からのサービス品質の指標を含むこともできる。これは、ＳＭＳセンターへのショートメッセージの送信とＳＭＳセンターからの受信確認応答の受信との間の時間として求められる。
【００２８】
ＳＭＳの場合、サービス完全性は、エンドツーエンド配信時間及び完了率として求めることができる。エンドツーエンド配信時間は、ＳＭＳセンターへのショートメッセージの送信とターゲット移動デバイスでのショートメッセージの受信との間の時間として求めることができる。これは、ターゲット移動デバイスの受信準備ができているものと仮定している。完了率は、ＳＭＳメッセージが、所与の条件下でターゲット宛先へ配信される確率として求めることができる。この場合も、受信ターゲットの受信準備ができているものと仮定している。
【００２９】
マルチメディアメッセージサービス（ＭＭＳ）の場合、サービスアクセス性は、送信失敗率、送信時間、検索失敗率、及び検索時間の観点から計算される。ＭＭＳ失敗率は、送信ボタンを押下することによってＭＭＳメッセージの送信が要求されているが、加入者がＭＭＳメッセージを送信できない確率をいう。ＭＭＳ送信時間は、送信ボタンを押下してからデータ転送が完了するまでに経過する時間である。
【００３０】
ＭＭＳ配信失敗率は、移動ユニットがＭＭＳメッセージをダウンロードできない確率をいう。この移動ユニットは、事前に、ＭＭＳ通知を受信している。ＭＭＳ検索時間は、必要なネットワークシグナリングが、ターゲット移動デバイスを用いて一旦完了した場合のダウンロードの完了時間である。
【００３１】
ＭＭＳでは、サービス保持性は、通知失敗率、通知時間、エンドツーエンド失敗率、及びエンドツーエンド配信時間によって求められる。通知失敗率は、ＭＭＳがＭＭＳメッセージの通知をターゲット移動デバイスへ配信できない確率をいう。通知時間は、マルチメディアメッセージのＭＭＳセンターへのサブミットの完了からターゲット移動デバイスによる通知の受信までに経過する時間である。
【００３２】
ＭＭＳエンドツーエンド失敗率は、送信ボタンが押下された後にＭＭＳがＭＭＳメッセージを配信できない確率、又は、送信側パーティが送信成功を示す受信確認応答を受信しな且つた確率をいう。ＭＭＳ配信時間は、送信ボタンの押下からターゲット移動デバイスによるマルチメディアメッセージの受信までに経過する時間である。この配信時間は、メッセージ発信側パーティがＭＭＳセンターによる送信成功を示す受信確認応答を受信しな且つた場合には計算されない。マルチメディアメッセージのサイズは、ＳＭＳメッセージと比較して大幅に変化するので、メッセージサイズは、サブミット時間にかなりの影響を与える可能性がある。この理由から、通常サイズを有するマルチメディアメッセージが、この測定を行うのに使用される。
【００３３】
利用可能なサービスのすべてに共通なものは、ネットワークアクセスの性能係数（performance factor）である。この性能係数は、あらゆるロケーションの無線伝送係数（wireless transmission factor）に大きく依存する。ネットワークアクセス指標は、単なる信号強度指標だけでない場合がある。ネットワークアクセス指標は、ユーザが利用可能なサービスの１つを選択することを許可する時を判断する門番としての機能を果たすことができる。この判断は、所与の信頼レベルでサービスを使用できる統計的有意性に基づくことができる。また、移動デバイスにおけるネットワークアクセス指標は、回線交換ネットワークとパケット交換ネットワークとを区別することもできる。ネットワークアクセス性は、移動サービスが、移動デバイスにネットワーク指標を表示することによってエンド顧客に提供される確率として計算することができる。
【００３４】
本発明は、開示した実施の形態について上記で例示として説明されている。この開示した実施の形態には、添付の特許請求の範囲に画定された本発明の範囲から逸脱することなく、当業者によりさまざまな修正及び変更を行うことができる。
【図面の簡単な説明】
【００３５】
【図１】ＧＰＲＳデータネットワークのアップグレードを有する従来技術のＧＳＭ移動通信システムのブロック図である。
【図２】広帯域符号分割多元接続エアインターフェースを付加することによってアップグレードされている従来技術のＧＳＭ移動通信システムのブロック図である。
【図３】本発明に従って構成された、通信のルーティングを監視するためのシステムを有する移動通信ネットワークの具象図である。
【図４】本発明に従って構成されたリポートを示す図である。
【符号の説明】
【００３６】
１０：ネットワーク
１２：公衆交換電話網（ＰＳＴＮ）
１４：移動交換センター（ＭＳＣ）
１６：基地局コントローラ（ＢＳＣ）
１８：基地伝送局（ＢＴＳ）
２０：無線移動デバイス
２２：（ＨＬＲ）
２４：（ＧＧＳＭ）
２５：パケットデータネットワーク（ＰＤＮ）
２６：サービングＧＰＲＳサポートノード（ＳＧＳＮ）
３０：２次伝送ノード
３２：無線ネットワークコントローラ（ＲＮＣ）
４０：移動通信ネットワーク
４２：エンドユーザ
４４：ＰＳＴＮ
４６：インターネットプロトコル（ＩＰ）ネットワーク
４８：データベース
５０：接続
５２：コンピュータ端末
６０：リポート
６２：日付
６４：開始時刻
６６：終了時刻
７０：呼の数
７２：総数（Total Calls）
７４：ロケーション更新(Location Updates)
７６：アタッチメント（Attachments：添付）
７８：ディタッチメント（Detachments：分離）
８０：回線交換（ＣＳ）音声呼(CS Voice Calls)
８２：回線交換（ＣＳ）データ呼(CS Data Calls)
８４：パケット交換（ＰＳ）呼(PS Calls)
８６：ショートメッセージサービス（ＳＭＳ）呼(SMS Calls)
８８：マルチメディアメッセージサービス（ＭＭＳ）呼(CCS Calls)
９０：返答のないページング要求（Unanswered Paging Requests）
９２：成功した呼(Successful)
９４：不成功の呼(Unsuccessful)
【図１】
2007068159.tif 000003
【図２】
2007068159.tif 000004
【図３】
2007068159.tif 000005
【図４】
2007068159.tif 000006